(57)【要約】【課題】除湿機の送風性能を向上する。【解決手段】送風ファンは枠体前面と略垂直な回転軸を有するシロッコファンで形成し、送風ファンを包囲して前記吹出口へ送風を導くケーシングを設け、送風ファンはケーシングの中央からやや右側に、スタビライザは送風ファンの上方に、導風部をスタビライザの左側に位置し、吹出口は枠体上方又は後方に向かって開口し、吹出口には空気流を枠体上方向と枠体後方向との間で可変するルーバー枠体を回動自在に取付け、ルーバー枠体は、断面コの字型の下ルーバーと、下ルーバーの下面に略平行で間隔を設けると共に、上部を覆う上ルーバーを設け、上ルーバーと下ルーバーとの間に配置されて左右に可動自在で連接板にて連動する複数の左右風向板１７と、左右風向板の中で右端に位置する左右風向板と回転軸が同心の左右風向モータ１８を設けた。【選択図】図２
2014126262.tif 000002
【特許請求の範囲】
【請求項１】
枠体に設けた吸込口と吹出口の間に蒸発器、凝縮器、送風ファンを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する空気調和機において、前記送風ファンは枠体前面と略垂直な回転軸を有するシロッコファンで形成すると共に、前記送風ファンを包囲して前記吹出口へ送風を導くケーシングを設け、前記送風ファンはケーシングの中央からやや右側に、スタビライザは送風ファンの上方に、導風部を前記スタビライザの左側に位置し、前記吹出口は枠体上方又は後方に向かって開口し、吹出口には空気流を枠体上方向と枠体後方向との間で可変するルーバー枠体を回動自在に取付け、このルーバー枠体は、断面コの字型の下ルーバーと、この下ルーバーの下面に略平行で間隔を設けると共に、上部を覆う上ルーバーを設け、この上ルーバーと下ルーバーとの間に配置されて左右に可動自在で連接板にて連動する複数の左右風向板と、この左右風向板の中で右端に位置する左右風向板と回転軸が同心の左右風向モータを設けたことを特徴とする空気調和機のルーバー構造。
【発明の詳細な説明】
【技術分野】
【０００１】
この発明は、除湿機などの空気調和機の吹出口に備えた風向を変更するルーバーの構造に関する。
【背景技術】
【０００２】
従来よりこの種のものに於いては、吹出口に備えたルーバー枠体内に、連接板で接続された複数の左右風向板とを備え、この左右風向板を回動する左右風向モータと、洗濯物等の温度を検知する赤外線センサを前記ルーバー枠体の中央に設けていた。そして前記左右風向モータの回動によって、自動で左右方向の吹出風を風向の変更を可能とするものであった。（例えば、特許文献１参照）
【先行技術文献】
【特許文献】
【０００３】
【特許文献１】特開２０１１−１５８１３６号公報
【発明の概要】
【発明が解決しようとする課題】
【０００４】
ところでこの従来のものでは、ルーバー枠体の中央の比較的吹出風速が強い部分を塞ぐように左右風向モータや赤外線センサ設けられているために、この左右風向モータや赤外線センサが送風抵抗になるために、全体的に吹出口を大きくすることでコンパクト化の妨げになったり、或いはコンパクト化によって騒音が発生する原因になるという恐れが有った。
【課題を解決するための手段】
【０００５】
この発明はこの点に着目し上記欠点を解決する為、特にその構成を、枠体に設けた吸込口と吹出口の間に蒸発器、凝縮器、送風ファンを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する空気調和機において、前記送風ファンは枠体前面と略垂直な回転軸を有するシロッコファンで形成すると共に、前記送風ファンを包囲して前記吹出口へ送風を導くケーシングを設け、前記送風ファンはケーシングの中央からやや右側に、スタビライザは送風ファンの上方に、導風部を前記スタビライザの左側に位置し、前記吹出口は枠体上方又は後方に向かって開口し、吹出口には空気流を枠体上方向と枠体後方向との間で可変するルーバー枠体を回動自在に取付け、このルーバー枠体は、断面コの字型の下ルーバーと、この下ルーバーの下面に略平行で間隔を設けると共に、上部を覆う上ルーバーを設け、この上ルーバーと下ルーバーとの間に配置されて左右に可動自在で連接板にて連動する複数の左右風向板と、この左右風向板の中で右端に位置する左右風向板と回転軸が同心の左右風向モータを設けたものである。
【発明の効果】
【０００６】
この発明によれば、吹出口で一番吹出風速の弱いルーバー枠体内の右端に左右風向モータを設けたので、吹出口のコンパクト化をすることができ、また、左右風向モータが抵抗になることで発生する送風騒音を低減することができる。
【図面の簡単な説明】
【０００７】
【図１】この発明一実施例を示す除湿機の側面の断面図。
【図２】同前面の断面図。
【図３】同ルーバー枠体の分解斜視図。
【図４】同左右風向板が平行状態の要部平面図。
【図５】同左右風向板が拡散状態の要部平面図。
【図６】左右風向板が平行状態の要部正面図。
【発明を実施するための形態】
【０００８】
次にこの発明に係る空気調和機を図面に示された一実施例で説明する。
１は除湿機の枠体で底板２上に前方の前ケース３と後方の後ケース４とを設けて本体の外郭を構成している。
５は前記枠体１背面に形成された吸込口で、前記後ケース４に横長のスリットを多数備えた開口が設けられている。
【０００９】
６は前記枠体１上面から背面上部かけて設けた吹出口で、乾燥空気の吹出方向を上方向から後ろ方向まで自由にかえることができるものである。
前記吸込口５の内側には樹脂製の網や不織布から成り吸入空気に混入するホコリを取り除くフィルタ７を備えている。このフィルタ７の内側にはフィンチューブ式の熱交換器からなる蒸発器８を備え、吸込空気を冷却することにより空気中の水分を結露させ除湿を行う。
【００１０】
前記吹出口６には吹出空気の方向を上方向から後ろ方向の間に自由に角度を変えることができるルーバー枠体９を備えている、このルーバー枠体９は断面コの字型の下ルーバー１０と、この下ルーバ１０の下面１１に略平行で、下面１１と約４０ｍｍの間隔を保って端部１２に係合して上部を覆う上ルーバー１３を設けている。
【００１１】
前記ルーバー枠体８の左右側面には一対の上下回動軸１４を設け、吹出口６の側面に備えた軸受部（図示せず）と上下ルーバモータ（図示せず）によって、除湿機の運転停止時には後ろ側への吹出方向の位置にして、枠体１上面を略平坦にし、洗濯乾燥運転等の際には自動でルーバー枠体８が回動して上方に向けて乾燥空気を吹き出すものである。
【００１２】
前記下ルーバ１０と上ルーバー１３には筒状の突起１５を対向して設け、この突起１５に回転軸１６を挿入して扁平状の左右風向板１７を回動自在に設けている。
１８は左右風向モータで、前記下ルーバ１０に立設したモータ突起１９と左右風向モータ１８を水やホコリから保護するモータカバー２０で覆いながらネジ２１にてネジ止めされる。モータ軸２２は右端の第１左右風向板２３の回動軸２４に挿合して左右風向モータ１８により第１左右風向板２３を回動する。
【００１３】
２５は右連接板で、前記第１左右風向板２３の上部に備えた連接軸２６と左側に略平行に設けた第２左右風向板２７上部で且つ回動軸２８よりも後ろ側に備えた連接軸２９を接続して第１左右風向板２３の動きを第２左右風向板２７に伝達する。
３０は中央連接板で、前記第２左右風向板２７下部で且つ回動軸２８よりも前方に備えた連接軸３１と左側に設けた第３左右風向板３２下部且つ回動軸３３よりも後ろ側に備えた連接軸３４を接続して第２左右風向板２７の動きを第３左右風向板３２に伝達する。
【００１４】
３５は左連接板で、前記第２左右風向板２７上部で且つ前記回動軸２８よりも前方に備えた連接軸３６と左端に設けた第４左右風向板３７上部で且つ回動軸３８よりも後ろ側に備えた連接軸３９を接続して第２左右風向板２７の動きを第４左右風向板３７に伝達する。
【００１５】
このように、左右風向モータ１８の力を右端の第１左右風向板２３から左端の第４左右風向板３７まで、伝達するのに２個の連接板２５・３５で動きを伝達することが可能となり、より小さなモータトルクで全ての左右風向板１７を回動させることができるようになることで、左右風向板１７の駆動構造の耐久性能が向上するものである。
【００１６】
前記蒸発器８の更に下流には蒸発器８と同じくフィンチューブ式の熱交換器からなる凝縮器４０を備え、蒸発器８にて冷却された空気の加熱を行う。
前記凝縮器４０下流にはシロッコファン型の送風ファン４１及びこのファン４１を駆動するファンモータ４２を設け、前記吸込口５と吹出口６の間に形成した送風経路４３の送風を行うものである。前記送風ファン４１は枠体前面と略垂直な回転軸４４を形成する。
【００１７】
前記前ケース３の内側でファンモータ４２との間には送風ファン４１を包囲して前記吹出口６へ送風を導くケーシング４５を備え、前記送風ファン４１はケーシング４５の中央からやや右側に、スタビライザ４６は送風ファン４１の上方に、導風部４７を前記スタビライザの左側に位置し、前記導風部４７から送風を吹出口６側へ向かって導くものである。図２の矢印で示すように、前記送風ファン４１の回転で送風ファン４１外周の接線方向に送風されるので、スタビライザ４６よりも右側に位置する、前記吹出口６の右端で左右風向モータ１８の部分の風量は比較的弱いので、全体的な送風量への影響は極めて少ないものである。
また前記凝縮器４０とファン４１の間には効率的にファン４１へ送風を導くために中央に送風口を備えた仕切板４８を設け、蒸発器９の下方には結露水を受けるドレン皿４９を設けている。
５０は一方をこのドレン皿４９の底面に接続し、他方をドレンタンク５１の上部に位置させた排水路で、前記ドレン皿４９で集めた結露水を前記ドレンタンク５１へ導くものである。
【００１８】
５２は前記吹出口６の内側の送風経路４３に設けられたヒーターで、衣類乾燥時や冬期間に室温が低くなり除湿の効率が低下する事を防止するものであり、消費電力は約４００〜５００Ｗ程である。５３は除湿機運搬用のコの字型の取っ手で、除湿機上面の後ろ側に収納され、使用時には回動して吹出口６上方に位置し運搬を行う。５４は除湿機上面の前方部分に設けられた操作部で運転スイッチ（図示せず）等のスイッチ類と運転ランプ（図示せず）等の表示ランプ類を備えている。５５は前記底板２に固定された圧縮機。
【００１９】
図３は左右風向板１７が平行状態を示すもので、この状態から左右風向モータ１８駆動すれば、連接板２５・３０・３５は矢印の方向に移動して、図４のように吹出空気を拡散するように左右方向に左右風向板を向けることができるものであり、左右風向モータ１８の力を右端の第１左右風向板２３から左端の第４左右風向板３７まで、伝達するのに２個の連接板２５・３５で動きを伝達することが可能となり、より小さなモータトルクで全ての左右風向板１７を回動させることができるようになることで、左右風向板１７の駆動構造の耐久性能が向上するものである。
【００２０】
このように、吹出口６で一番吹出風速の弱いルーバー枠体９内の右端に左右風向モータ１８を設けたので、吹出口６のコンパクト化をすることができ、また、左右風向モータ１８が抵抗になることで発生する送風騒音を低減することができる。
また、左右風向モータ１８をルーバー枠体９内の左右風向板２３と一体に設けることで部品単数も少なくなり、製造原価の低減を行うことができるものである。
【符号の説明】
【００２１】
１  枠体
５  吸込口
６  吹出口
９  ルーバー枠体
１０  下ルーバ
１３  上ルーバー
１８  左右風向モータ
２３  第１左右風向板
２５  右連接板
２７  第２左右風向板
３０  中央連接板
３２  第３左右風向板
３５  左連接板
３７  第４左右風向板
４１  送風ファン
４５  ケーシング
【図１】
2014126262.tif 000003
【図２】
2014126262.tif 000004
【図３】
2014126262.tif 000005
【図４】
2014126262.tif 000006
【図５】
2014126262.tif 000007
【図６】
2014126262.tif 000008